(57)【要約】【課題】  上下に配光する間接照明において、反射光に起因する不測の高輝度領域の発生を抑制することができる間接照明装置を提供することを目的とする。【解決手段】  壁面に取り付けられる間接照明装置１は、上部を開放面Ｚとしたシェード１０と、シェード１０に収容される光源２０とを備える。シェード１０は、開放面Ｚと対向する位置に底板部１２を有する。底板部１２には、光源２０の長さ方向に沿って延在する貫通状のスリットＳが設けられる。スリットＳの内周壁Ｓ１には、一方の端部から他方の端部に亘り、シェード１０の内壁の明度よりも低い明度を有する低反射部１５が形成される。【選択図】  図２
2014102902.tif 000002
【特許請求の範囲】
【請求項１】
上部及び下部の一方を開放面とした長尺状のシェードと、前記シェードに収容される長尺状の光源とを備え、室内の壁面に取り付けられる間接照明装置であって、
前記シェードは、少なくとも前記光源を介して壁面と対向する正面板部と、前記光源を介して前記開放面と対向する蓋板部とを有し、
前記正面板部と前記蓋板部との間又は前記蓋板部には、前記光源の長さ方向に沿って延在する貫通状のスリットが設けられ、
前記スリットの内周壁には、前記シェードの内壁の明度よりも低い明度を有する低反射部、光を拡散反射させる拡散反射部、又は、前記蓋板部の厚み方向に対して傾斜する傾斜面を有する傾斜面部のいずれかが前記シェードの長さ方向の一方の端部から他方の端部に亘って形成される、
間接照明装置。
【請求項２】
前記スリットは、前記光源よりも前記壁面から離間した位置に形成され、
前記低反射部、前記拡散反射部、又は、前記傾斜面部は、前記スリットの内周壁のうち、前記光源に近い側に位置する領域に設けられる、
請求項１に記載の間接照明装置。
【請求項３】
前記シェードには、前記光源から見て外側に位置する前記スリットの縁部のうち、前記光源に対して遠い側となる縁部に沿って突出する突条部が設けられる、
請求項２に記載の間接照明装置。
【請求項４】
前記低反射部は、貼着部材により形成される、
請求項１乃至請求項３のいずれか一項に記載の間接照明装置。
【発明の詳細な説明】
【技術分野】
【０００１】
本発明は、壁面に取り付けられる間接照明装置に関する。
【背景技術】
【０００２】
蛍光灯等の長尺な照明器具を上部を開放面としたシェードに収容し、当該シェードを壁面上部に取り付けて天井面を照らすコーブ照明等の間接照明装置が知られている。このような間接照明装置として、例えば特許文献１に記載されたものがある。
【先行技術文献】
【特許文献】
【０００３】
【特許文献１】特開２０１０−１７７１４５号公報
【発明の概要】
【発明が解決しようとする課題】
【０００４】
ところで、この種のコーブ照明は、天井面を明るく照らすことができるものの、取り付けられている壁面、特に照明の直下に位置する壁面や空間を照らすことができず、空間全体の明るさを得るには問題があった。
【０００５】
かかる問題を解決すべく、例えば光源下方の遮光板に貫通状のスリットを設けることが考えられるが、スリットの形成位置によっては反射光が周辺壁面まで照らしてしまい、却って不快な照明空間となる場合がある。特に光源の種類や光源の位置及びスリットの位置の関係によっては、周辺壁面に反射光が集中してしまう領域が形成されてしまい、それが不快となる場合がある。また、かかる領域の大きさや形成されるか否かといったことは、上記の関係に加えて当該間接照明装置を取り付ける位置や周囲壁との位置関係にも影響されることが多く、取り付けてみないことには分からないという場合も少なくない。
【０００６】
そこで本発明は、このような従来技術の有する課題を解決するものであり、上下に配光する間接照明において、反射光に起因する不測の高輝度領域の発生を抑制することができる間接照明装置を提供することを目的とする。
【課題を解決するための手段】
【０００７】
ここで、上部及び下部の一方を開放面としたシェードの蓋板部にスリットを設けて光源を点灯させた場合、間接照明装置の周辺の壁面に不測の高輝度領域が形成されることがある。本願発明者は、この不測の高輝度領域の発生原因を突き止めるべく検証を行った。その結果、本願発明者は、スリットの内周壁で鏡面的に反射した反射光によって、不測の高輝度領域が形成されることを見出した。そこで、本願発明者は、この検証結果をもとに、本発明に係る間接照明装置を発明した。
【０００８】
上記課題を解決すべく、本発明に係る間接照明装置は、上部及び下部の一方を開放面とした長尺状のシェードと、シェードに収容される長尺状の光源とを備え、室内の壁面に取り付けられる。シェードは、少なくとも光源を介して壁面と対向する正面板部と、光源を介して開放面と対向する蓋板部とを有する。正面板部と蓋板部との間又は蓋板部には、光源の長さ方向に沿って延在する貫通状のスリットが設けられる。スリットの内周壁には、シェードの内壁の明度よりも低い明度を有する低反射部、光を拡散反射させる拡散反射部、又は、蓋板部の厚み方向に対して傾斜する傾斜面を有する傾斜面部のいずれかがシェードの長さ方向の一方の端部から他方の端部に亘って形成される。
【０００９】
本発明によれば、光源からの光は開放面から照射されると共に、スリットを通過して漏れ出ることとなり、これら上下の光によって壁面が照射される。ここで、スリットの内周壁に低反射部を設けた場合、当該スリットの内周壁で反射する反射光は輝度が低減される。なお、低反射部とは、ある特定の方向に反射する光の成分が多い状態から、当該特定の方向に反射する光の成分を全体的に減じた状態とするもののことを言う。また、スリットの内周壁に拡散反射部を設けた場合には、当該スリットの内周壁で反射した反射光は拡散し、反射光が拡散することで輝度が低減される。また、スリットの内周壁に傾斜面を有する傾斜面部を設けた場合には、傾斜面の角度を調節することで、傾斜面で反射した光の反射方向を制御できる。
【００１０】
この結果、スリットの内周壁で反射した反射光が、間接照明装置が取り付けられた壁面の側方に位置する壁面を照射する場合でも、当該側方の壁面にスリットの内周壁で反射した反射光に起因した高輝度領域が形成されることを抑制することができる。
【００１１】
スリットは、光源よりも壁面から離間した位置に形成され、低反射部、拡散反射部、又は、傾斜面部は、スリットの内周壁のうち、光源に近い側に位置する領域に設けられることが好ましい。スリットからの照射される光のうち、周辺壁面を照射する光は、スリットの内周壁のうち、光源に近い側に位置する内周壁で反射するものがほとんどである。したがって、かかる領域に低反射部、拡散反射部、又は、傾斜面部を設けることで、効果的に周辺壁面の高輝度領域の形成を抑制することができる。
【００１２】
シェードには、光源から見て外側に位置するスリットの縁部のうち、光源に対して遠い側となる縁部に沿って突出する突条部が設けられる、ことが好ましい。この場合には、間接照明装置が取り付けられた壁面への反射光を増大させることができ、当該壁面をより明るく照らすことができる。
【００１３】
低反射部は、貼着部材により形成される、ことが好ましい。この場合には、きわめて簡易に低反射部を形成することができる。
【発明の効果】
【００１４】
本発明によれば、上下に配光する間接照明において、反射光に起因する不測の高輝度領域の発生を抑制することができる。
【図面の簡単な説明】
【００１５】
【図１】実施形態に係る間接照明装置が壁面に取り付けられている状態を示す斜視図である。
【図２】図１に示す間接照明装置の断面図である。
【図３】間接照明装置を点灯させた状態を示す図であり、（ａ）は低反射部を設けた状態、（ｂ）は低反射部が設けられていない状態を示す図である。
【図４】変形例における蓋板部の小口面近傍を示す断面図である。
【発明を実施するための形態】
【００１６】
以下、図面を参照しつつ、本発明に係る間接照明装置の実施形態について詳細に説明する。
【００１７】
図１及び図２に示すように、間接照明装置１は、建物の室内の壁面Ｗの上部近傍に取り付けられる。間接照明装置１は、長尺状を成し、水平方向に延びるように壁面Ｗに取り付けられる。間接照明装置１は、シェード１０と、光源２０とを含んで構成される。
【００１８】
シェード１０は、上部を開放面Ｚとした長尺の箱状に形成されている。シェード１０は、背面板部１１、底板部（蓋板部）１２、正面板部１３、側板部１４、及び、低反射部１５を含んで構成される。背面板部１１、底板部１２、及び、正面板部１３は、長尺の板状を成している。背面板部１１と正面板部１３とは、所定の間隔を開けて互いに対向するように配置される。背面板部１１は、壁面Ｗに固定される。
【００１９】
底板部１２は、背面板部１１と正面板部１３との間の空間の下方側を覆うように配置される。即ち、底板部１２は、シェード１０の上部の開放面Ｚに対向する位置に設けられる。詳細には、底板部１２は、図２に示すように、壁面Ｗ側の端部が背面板部１１の下端に接続される。底板部１２における壁面Ｗ側に対して反対側の端部と、正面板部１３との間には貫通状のスリットＳが形成される。スリットＳは、正面板部１３及び底板部１２の長さ方向の一端から他端に亘って形成される。
【００２０】
底板部１２における壁面Ｗ側に対して反対側の小口面、即ち、底板部１２におけるスリットＳの内周壁Ｓ１の一部を成す面には、低反射部１５が設けられる。低反射部１５は、スリットＳの一方の端部から他方の端部に亘って設けられる。低反射部１５は、シェード１０の内壁の明度よりも低い明度を有している。ここで、低反射部１５を、テープ等の粘着部材によって形成することができる。この場合、底板部１２の小口面に低反射部１５を貼り付けるだけで、容易に低反射部１５を設けることができる。
【００２１】
正面板部１３の下端部には、スリットＳよりも下方側に向かって突出する突出状の突条部１３ａが設けられる。即ち、突条部１３ａは、正面板部１３におけるスリットＳの縁部に沿って延在すると共に下方側に向かって突出しており、これによって突条部１３ａのスリットＳ側の面とスリットＳの内周壁Ｓ１とは面一となって連続している。
【００２２】
側板部１４は、シェード１０の長さ方向の両端部にそれぞれ設けられる。
【００２３】
光源２０は、シェード１０の内部に収容される。光源２０は、長尺状を成し、シェード１０の長さ方向の一方の端部近傍から他方の端部近傍に亘って延在している。光源２０は、図２に示すように、背面板部１１と正面板部１３との間の中間位置近傍に設けられる。光源２０として、蛍光灯、発光ダイオード等、適宜の光源を用いることができる。
【００２４】
光源２０と、スリットＳ、低反射部１５、及び、突条部１３ａとの位置関係について説明する。スリットＳは、光源２０の長さ方向に沿って延在する。スリットＳは、光源２０よりも壁面Ｗから離間した位置に形成されている。また、低反射部１５は、スリットＳの内周壁Ｓ１のうち、光源２０に近い側に位置する内周壁Ｓ１（即ち、底板部１２における正面板部１３側の小口面）を覆って形成されている。突条部１３ａは、スリットＳの縁部のうち、光源２０に対して遠い側の縁部に沿って形成される。
【００２５】
次に、光源２０を点灯した場合について説明する。光源２０を点灯させると、シェード１０の上部が開放面Ｚとなっているため、シェード１０よりも上側の、天井面Ｒ、壁面Ｗ、及び、壁面Ｗの側方位置する壁面（以下「側壁面」という）Ｗ１に光が照射される。
【００２６】
また、スリットＳが設けられているため、間接照明装置１の下方側にも光が照射される。このスリットＳを通過し、間接照明装置１の下方側に照射される光には、正面板部１３及び突条部１３ａの光源２０側の面で反射した光（図２において、軌跡Ｘ１を通る光）が含まれる。正面板部１３及び突条部１３ａの光源２０側の面で反射した光は、間接照明装置１の直下の壁面Ｗ及び側壁面Ｗ１に照射される。
【００２７】
また、スリットＳを通過し、間接照明装置１の下方側に照射される光には、図２において光の軌跡Ｘ２で示すように低反射部１５で反射した光が含まれる。この光は、壁面Ｗから離れる方向に照射される。
【００２８】
上方に向けて照射された光、及び、スリットＳを通過して間接照明装置１の直下の壁面Ｗ及び側壁面Ｗ１に照射された光（軌跡Ｘ１を通る光）によって、間接照明装置１の近傍は、明るくなる。しかしながら、低反射部１５で反射した軌跡Ｘ２を通る光は、間接照明装置１から離れた暗い領域に向けて照射される。このように低反射部１５で反射した軌跡Ｘ２を通る光のみが、他の光とは異なる位置に向けて照射される。
【００２９】
本実施形態では、低反射部１５の明度が低いため、低反射部１５で反射し、軌跡Ｘ２を通る光は輝度が低減される。このため、図３（ａ）に示すように、軌跡Ｘ２を通る光が側壁面Ｗ１に照射されたとしても、側壁面Ｗ１に高輝度領域が発生しない、或いは、人の目には高輝度領域が生じていることを感じ難い状態とする程度まで高輝度領域を発生させる光を弱めることができる。
【００３０】
また、間接照明装置１が壁面Ｗの上部に取り付けられているため、低反射部１５で反射して室内の床面に届く光の輝度は非常に弱いものとなり、人の目にはこの光を感じ難い。従って、本実施形態における間接照明装置１を点灯させると、図３（ａ）に示すように、間接照明装置１の上方の壁面Ｗ、側壁面Ｗ１及び天井面Ｒと、間接照明装置１の直下の壁面Ｗ及び側壁面Ｗ１とが明るくなる。
【００３１】
ここで、比較例として、低反射部１５を設けない場合について説明する。低反射部１５を設けない場合、底板部１２の小口面で反射して軌跡Ｘ２を通る光は輝度が強いままとなる。このため、軌跡Ｘ２を通る光が側壁面Ｗ１の暗い領域に照射されると、図３（ａ）に示すように、側壁面Ｗ１に高輝度領域Ｋが生じる。このように、低反射部１５を設けない場合には、側壁面Ｗ１に、不測の高輝度領域Ｋが生じる。
【００３２】
本実施形態は以上のように構成され、光源２０からの光はシェード１０上部の開放面Ｚから照射されると共に、スリットＳを通過して漏れ出ることとなり、これら上下の光によって壁面Ｗ、天井面Ｒ及び側壁面Ｗ１が照射される。ここで、スリットＳの内周壁Ｓ１に低反射部１５を設けた場合には、低反射部１５で反射する反射光は輝度が低減される。
【００３３】
この結果、低反射部１５で反射した反射光が、側壁面Ｗ１を照射する場合でも、低反射部１５で反射した反射光に起因した高輝度領域が形成されることを抑制することができる。
【００３４】
スリットＳからの照射される光のうち、間接照明装置１の周辺の壁面を照射する光は、スリットＳの内周壁Ｓ１のうち、光源２０に近い側に位置する内周壁で反射するものがほとんどである。したがって、かかる領域に低明度部１５を設けることで、効果的に間接照明装置１の周辺の壁面の高輝度領域の形成を抑制することができる。
【００３５】
また、正面板部１３に突条部１３ａを設けることで、壁面Ｗへの反射光を増大させることができ、壁面Ｗ及び側壁面Ｗ１をより明るく照らすことができる。
【００３６】
低反射部１５を貼着部材により形成することで、底板部１２の小口面に、きわめて簡易に低反射部１５を形成することができる。
【００３７】
以上、本発明の一実施形態について説明したが、本発明は、上記実施形態に限定されるものではない。本実施形態では、底板部１２の小口面に低反射部１５を形成することで低反射部１５の小口面で反射する反射光の輝度を弱めるものとした。以下では、低反射部１５以外の構成により、低反射部１５の小口面での反射光の輝度を弱める構成について図４（ａ）〜図４（ｆ）を用いて説明する。なお、図４（ａ）〜図４（ｆ）では、底板部１２の小口面近傍の構成のみを示しており、図面中において底板部１２の左側にスリットＳが形成されているものとする。
【００３８】
図４（ａ）〜図４（ｃ）は、低反射部１５に代えて底板部１２の小口面に、光を拡散させる拡散反射部を設けた例を示すものである。図４（ａ）に示す例は、底板部１２の小口面を、光を拡散可能な凹凸状の凹凸面（拡散反射部）１０１としたものである。図４（ｂ）に示す例は、底板部１２の小口面を、断面半球状の曲面（拡散反射部）１０２としたものである。図４（ｃ）に示す例は、底板部１２の小口面に、光を拡散反射可能なプリズム又はすりガラス等の反射部材（拡散反射部）１０３を設けたものである。
【００３９】
これらのように、底板部１２の小口面を凹凸面１０１又は曲面１０２とする、又は、底板部１２の小口面に反射部材１０３を設けることで、凹凸面１０１、曲面１０２及び反射部材１０３に入射した光は拡散反射され、低反射部１５を用いた場合と同様に、凹凸面１０１、曲面１０２及び反射部材１０３で反射した光の輝度を弱めることができる。なお、底板部１２の小口面に凹凸面１０１を形成する際に、凹凸状の表面形状を有するテープ等の粘着部材を小口面に貼り付けてもよい。
【００４０】
図４（ｄ）〜図４（ｆ）は、低反射部１５に代えて底板部１２の小口面に、底板部１２の厚み方向に対して傾斜する傾斜面を有する傾斜面部を設けた例を示すものである。図４（ｄ）に示す例は、底板部１２の小口面に、間接照明装置１の下方側を向く傾斜面１０４ａを有する傾斜面部１０４を形成したものである。傾斜面１０４ａの傾きは、正面板部１３及び突条部１３ａの光源２０側の面で反射して傾斜面１０４ａに入射する光が少なくなる角度とする。即ち、傾斜面１０４ａで反射され、図２の軌跡Ｘ２を通る光のように壁面Ｗから離れる方向に照射される光が少なくなる角度とする。
【００４１】
図４（ｅ）に示す例は、底板部１２の小口面に、シェード１０の内側を向く傾斜面１０５ａを有する傾斜面部１０５を形成したものである。傾斜面１０５ａの傾きは、傾斜面１０５ａに入射した光を、シェード１０の内側に向けて反射させる角度とする。
【００４２】
図４（ｆ）に示す例は、底板部１２の小口面に、シェード１０の内側を向く傾斜面１０６ａと、間接照明装置１の下方側を向く傾斜面１０６ｂとを有する傾斜面部１０６を形成したものである。傾斜面１０６ａの傾きは、傾斜面１０６ａに入射した光を、シェード１０の内側に向けて反射させる角度とする。傾斜面１０６ｂの傾きは、正面板部１３及び突条部１３ａの光源２０側の面で反射して傾斜面１０６ｂに入射する光が少なくなる角度とする。
【００４３】
このように、底板部１２の小口面に傾斜面部１０４〜１０６を設けた場合には、傾斜面１０４ａ，１０５ａ，１０６ａ，１０６ｂの角度を調節することで、これらの傾斜面で反射した光の反射方向を制御できる。従って、図２に示す軌跡Ｘ２を通る反射光を無くす、或は、抑制することができ、反射光に起因した高輝度領域が形成されることを抑制することができる。
【００４４】
また、実施形態では、シェード１０の上部が開放面Ｚとなり、シェード１０の下部にスリットＳが位置するように間接照明装置１を壁面Ｗに取り付けるものとしたが、間接照明装置１を上下逆向き壁面Ｗに取り付けてもよい。即ち、シェード１０の下部が開放面Ｚとなり、シェード１０の上部にスリットＳが位置するように、間接照明装置１を壁面Ｗに取り付けてもよい。また、スリットは、蓋板部の中途部にスリット孔を設けることで形成することも可能であるし、間接照明装置としては、背面板部のない構成を採用することも可能である。
【符号の説明】
【００４５】
１…間接照明装置、１０…シェード、１２…底板部（蓋板部）、１３ａ…突条部、１５…低反射部、２０…光源、１０１…凹凸面（拡散反射部）、１０２…曲面（拡散反射部）、１０３…反射部材（拡散反射部）、１０４，１０５，１０６…傾斜面部、１０４ａ，１０５ａ，１０６ａ，１０６ｂ…傾斜面、Ｓ…スリット、Ｓ１…内周壁、Ｗ…壁面。
【図１】
2014102902.tif 000003
【図２】
2014102902.tif 000004
【図４】
2014102902.tif 000005
【図３】
2014102902.tif 000006